(57)【要約】      （修正有）【課題】簡易な手段で火災発生時における框材の反りを抑制し、障子と枠体の間に隙間を生じないようにした開口部装置を提供する。【解決手段】上枠と下枠１１及び左右の縦枠を枠組みしてなる枠体１内に、上框と下框２１、吊り元側縦框及び戸先側縦框を框組みした框体３を有する障子２を納め、下枠１１は框体３の下辺外周面と対向する内周面１１ｃを有し、下框２１は外周面に下枠１１の内周面に向かって突出する突片２１ｆを有し、下枠１１の内周面には係合突部材１１ｇが固定され、係合突部材１１ｇは、下框２１の突片２１ｆよりも室外側位置に、下框２１の外周面側に突出する係合突部１１ｉを有する。火災発生時に加熱発泡材が発泡して体積が膨張し、保持片２１ｆが係合突部１１ｉに対して係合して下框２１の反りを抑制する構成とした。【選択図】図８
2014118714.tif 000002
【特許請求の範囲】
【請求項１】
上枠と下枠及び左右の縦枠を枠組みしてなる枠体内に、上框と下框、吊り元側縦框及び
戸先側縦框を框組みした框体を有する障子を納めた開口部装置において、
前記下枠は前記下框の外周面と対向する内周面を有し、前記下框の外周面には前記下枠
の内周面側に向かって凸状の框側突部が設けられ、前記下枠の内周面には前記框側突部よ
りも室外側に、前記下框の外周面側に向かって凸状の枠側突部が設けられることを特徴と
する開口部装置。
【請求項２】
前記下框の外周面は前記下枠の内周面側に向かって凸状の前記框側突部として突片を有
し、
前記下枠の内周面には係合突部材が固定され、該係合突部材は前記下框の外周面側に凸
状の前記枠側突部として係合突部を有することを特徴とする開口部装置。
【請求項３】
前記下框の外周面には加熱発泡材が配置され、前記下框には前記加熱発泡材の室内外部
をそれぞれ保持する室内外の保持片が設けられ、室内側の保持片が前記突片を構成するこ
とを特徴とする請求項２記載の開口部装置。
【請求項４】
前記係合突部材は、前記枠体下辺の長手方向において前記下框のうち前記戸先側縦框側
の位置に配置されることを特徴とする請求項２または３記載の開口部装置。
【請求項５】
前記上枠は前記上框の外周面と対向する内周面を有し、前記上框の外周面には前記上枠
の内周面側に向かって凸状の上框側突部が設けられ、前記上枠の内周面には前記上框側突
部よりも室外側に、前記上框の外周面側に向かって凸状の上枠側突部が設けられることを
特徴とする請求項１〜４のいずれか１項に記載の開口部装置。
【請求項６】
前記上框の外周面は前記上枠の内周面側に向かって凸状の前記上框側突部として上突片
を有し、
前記上枠の内周面には上係合突部材が固定され、該上係合突部材は前記上框の外周面側
に凸状の前記上枠側突部として上係合突部を有することを特徴とする請求項５記載の開口
部装置。
【請求項７】
前記上係合突部材は、前記枠体上辺の長手方向において前記上框のうち前記戸先側縦框
側の位置に配置されることを特徴とする請求項６記載の開口部装置。
【発明の詳細な説明】
【技術分野】
【０００１】
本発明は、枠体内に吊り元側を中心に開閉自在な障子を納めた開口部装置に関し、特に
火災発生時に障子を構成する框材が反ることにより枠体と障子の間に隙間を生じることを
防止した開口部装置に関する。
【背景技術】
【０００２】
建物開口部に設けられる枠体内に、吊り元側を中心に開閉自在な障子を納めた開口部装
置において、障子は、上框と下框、吊り元側縦框及び戸先側縦框を方形状に框組みしてな
る框体内にパネル体を納めて構成される。框体は、吊り元側において上下で回動自在に支
持され、戸先側を開放することができる。
【０００３】
また、障子の中に、パネル体の代わりに上下２枚の内部障子を有する上げ下げ窓を設け
ることもある。この場合、上げ下げ窓の２枚の内部障子は連動して上下し、それによって
障子を閉じたままでも内部障子を開いて採風などをなすことができるように構成される。
このような障子を備えた開口部装置としては、例えば特許文献１に挙げるようなものがあ
る。
【先行技術文献】
【特許文献】
【０００４】
【特許文献１】特開２０１２−８７５０９号公報
【発明の概要】
【発明が解決しようとする課題】
【０００５】
火災が発生して開口部装置が高温に晒されると、障子を構成する框材は、熱伸び及び反
りを生じる。障子は、枠体に対する支持部やロック部において、枠体に拘束された状態と
なっている。このため、框材のうち枠体に拘束された部分から遠い位置では反りが大きく
なり、枠体と障子の間に隙間を生じてしまう。
【０００６】
反りを抑えて枠体と障子の間の隙間発生を防止するためには、例えば障子の枠体に対す
る拘束位置をできるだけ分散させることが考えられる。吊り元側を中心に開閉自在な障子
を有する開口部装置では、障子の縦辺が大きく、縦框と上下框の連結部分付近の反りが特
に大きくなりやすい。
【０００７】
縦框には上下にロック部が設けられており、このロック部が枠体に対する拘束位置とな
るので、ロック部の位置をできるだけ上下に離すことにより、反りの大きい位置と拘束位
置とが近くなるので、反りを抑えることができる。しかし、この場合には、ロック部が上
下に離れることにより、操作性を悪化させるという問題がある。また、ロックされていな
い状態であっても、障子と枠体の間に隙間を生じさせないようにする必要もあった。
【０００８】
また、他の手段として、反りが大きく発生する部分に、ヒューズラッチを設けることも
考えられる。ヒューズラッチは、火災時の高温に晒されると動作して、框材と枠体とを拘
束するものである。しかし、ヒューズラッチは室内側に露出するため、意匠性を悪化させ
ることになる。また、コストも高くなる。したがって、より簡易な手段で框材の反りを抑
制することが必要となっていた。
【０００９】
本発明は前記課題を鑑みてなされたものであり、簡易な手段で火災発生時における框材
の反りを抑制し、障子と枠体の間に隙間を生じないようにした開口部装置を提供すること
を目的とする。
【課題を解決するための手段】
【００１０】
前記課題を解決するため、請求項１の発明に係る開口部装置は、上枠と下枠及び左右の
縦枠を枠組みしてなる枠体内に、上框と下框、吊り元側縦框及び戸先側縦框を框組みした
框体を有する障子を納めた開口部装置において、
前記下枠は前記下框の外周面と対向する内周面を有し、前記下框の外周面には前記下枠
の内周面側に向かって凸状の框側突部が設けられ、前記下枠の内周面には前記框側突部よ
りも室外側に、前記下框の外周面側に向かって凸状の枠側突部が設けられることを特徴と
して構成されている。
【００１１】
請求項１に係る発明によれば、障子の下辺において火災発生時に框側突部と枠側突部が
係合し、下框が室外側に反ることを抑制することができる。
【００１２】
また、請求項２の発明に係る開口部装置は、前記下框の外周面は前記下枠の内周面側に
向かって凸状の前記框側突部として突片を有し、
前記下枠の内周面には係合突部材が固定され、該係合突部材は前記下框の外周面側に凸
状の前記枠側突部として係合突部を有することを特徴として構成されている。
【００１３】
請求項２に係る発明によれば、下框の突片と係合突部材の係合突部とで、火災時に互い
に係合し合う構造を容易に構成することができる。
【００１４】
さらに、請求項３の発明に係る開口部装置は、前記下框の外周面には加熱発泡材が配置
され、前記下框には前記加熱発泡材の室内外部をそれぞれ保持する室内外の保持片が設け
られ、室内側の保持片が前記突片を構成することを特徴として構成されている。
【００１５】
請求項３に係る発明によれば、火災時には保持片を突片として兼用して下框の反りを抑
制しつつ、加熱発泡材により下枠と下框の間の隙間を閉塞することができ、簡易な構造で
確実に下枠と下框の間に隙間を生じさせないようにすることができる。
【００１６】
さらにまた、請求項４の発明に係る開口部装置は、前記係合突部材は、前記枠体下辺の
長手方向において前記下框のうち前記戸先側縦框側の位置に配置されることを特徴として
構成されている。
【００１７】
請求項４に係る発明によれば、下框において枠体に対する拘束位置から遠く、反りが発
生しやすい部位について、確実に反りを防止することができる。
【００１８】
そして、請求項５の発明に係る開口部装置は、前記上枠は前記上框の外周面と対向する
内周面を有し、前記上框の外周面には前記上枠の内周面側に向かって凸状の上框側突部が
設けられ、前記上枠の内周面には前記上框側突部よりも室外側に、前記上框の外周面側に
向かって凸状の上枠側突部が設けられることを特徴として構成されている。
【００１９】
請求項５に係る発明によれば、障子の上辺においても、火災発生時に上框側突部と上枠
側突部とが係合して、上框が室外側に反ることを抑制することができる。
【００２０】
また、請求項６の発明に係る開口部装置は、前記上框の外周面は前記上枠の内周面側に
向かって凸状の前記上框側突部として上突片を有し、
前記上枠の内周面には上係合突部材が固定され、該上係合突部材は前記上框の外周面側
に凸状の前記上枠側突部として上係合突部を有することを特徴として構成されている。
【００２１】
請求項６に係る発明によれば、上框の上突片と上係合突部材の上係合突部とで、火災時
に互いに係合し合う構造を容易に構成することができる。
【００２２】
また、請求項７の発明に係る開口部装置は、前記上係合突部材は、前記枠体上辺の長手
方向において前記上框のうち前記戸先側縦框側の位置に配置されることを特徴として構成
されている。
【００２３】
請求項７に係る発明によれば、上框において枠体に対する拘束位置から遠く、反りが発
生しやすい部位について、確実に反りを防止することができる。
【発明の効果】
【００２４】
本発明に係る開口部装置によれば、簡易な手段で火災発生時における框材の反りを抑制
し、障子と枠体の間に隙間を生じないようにすることができる。
【図面の簡単な説明】
【００２５】
【図１】第１の実施形態の開口部装置の正面図である。
【図２】開口部装置の縦断面図である。
【図３】開口部装置の横断面図である。
【図４】図２のうち上枠及び上框付近の拡大図である。
【図５】図２のうち下枠及び下框付近の拡大図である。
【図６】係合突部材の平面図及び側面図である。
【図７】下枠の平面図である。
【図８】火災発生時の状態における下枠と下框付近の拡大縦断面図である。
【図９】第２の実施形態における開口部装置の正面図である。
【図１０】開口部装置の縦断面図である。
【図１１】開口部装置の横断面図である。
【図１２】戸先側縦框の内周側から見た側面図である。
【図１３】図１０のうち上枠と上框付近の拡大図である。
【図１４】図１０のうち下枠と下框付近の拡大図である。
【図１５】火災発生時の状態における上枠と上框付近の拡大縦断面図である。
【図１６】火災発生時の状態における下枠と下框付近の拡大縦断面図である。
【発明を実施するための形態】
【００２６】
本発明の実施形態について図面に沿って詳細に説明する。図１には、第１の実施形態の
開口部装置であるテラス窓サッシの正面図を示している。第１の実施形態の開口部装置は
、建物開口部に設けられる枠体１内に障子２を開閉自在となるように納めて構成している
。障子２は、図１において左側が吊り元側、右側が戸先側となっていて、吊り元側の縦辺
を中心に戸先側を室外側に向かって開放できるようになっている。
【００２７】
枠体１は、上下辺を構成する上枠１０及び下枠１１と、左右の縦辺を構成する吊り元側
縦枠１２及び戸先側縦枠１３とを、方形状に枠組みして構成される。障子２は、框体３内
に、複層ガラス板からなるパネル体４を納めて形成されている。框体３を構成する戸先側
縦框２３には、室内外面にそれぞれ開閉操作のためのハンドル５が設けられている。また
、ハンドル５の上下には、それぞれロック部６，６が設けられている。框体３を構成する
戸先側縦框２３以外の框材は、室内側から見たときに枠体１によって見えないように配置
されている。
【００２８】
図２には本実施形態の開口部装置の縦断面図を、図３には本実施形態の開口部装置の横
断面図を、それぞれ示している。框体３は、上下辺を構成する上框２０及び下框２１と、
左右の縦辺を構成する吊り元側縦框２２及び戸先側縦框２３とを、方形状に框組みして構
成された
【００２９】
枠体１の室内端部には、室内側に向かって延出されたアングル部１４が四周に渡って形
成されている。上辺と縦辺のアングル部１４は、枠体１の室内側に設けられる額縁材（図
示しない）の内周面に当接する。下辺のアングル部１４は、枠体１の室内側に設けられる
床材（図示しない）の内周面に当接する。
【００３０】
図３に示すように、吊り元側縦枠１２は、アルミ製の金属吊り元側縦枠１２ａの室内側
露出面を覆うように樹脂製の樹脂吊り元側縦枠１２ｂが一体化されている。金属吊り元側
縦枠１２ａは、障子２の吊り元側縦辺周面と対向する内周面１２ｃを有している。内周面
１２ｃの室内側には、見付方向内側に向かって突出する室内側突部１２ｄが形成されてい
る。室内側突部１２ｄは、金属吊り元側縦枠１２ａ及び樹脂吊り元側縦枠１２ｂによって
形成されている。
【００３１】
室内側突部１２ｄは、障子２を構成する吊り元側縦框２２の室内側面と対向し、先端部
には吊り元側縦框２２の室内側面に対して当接する気密材１２ｅが長手方向に沿って設け
られている。室内側突部１２ｄの見付方向内側端部位置は、吊り元側縦框２２の見付方向
内側端部位置と略同位置となるように形成されている。これにより、吊り元側縦框２２の
室内側面は吊り元側縦枠１２によって隠され、吊り元側縦框２２が室内側から直接見えな
いように構成されている。
【００３２】
吊り元側縦框２２は、アルミ製の金属吊り元側縦框２２ａと樹脂製の樹脂吊り元側縦框
２２ｂとが一体化されて構成されている。吊り元側縦框２２は、内周側にパネル体４の縦
辺周縁部を保持する断面凹状のパネル体保持溝２２ｃを有しており、パネル体保持溝２２
ｃの室内側壁を構成する部分が、樹脂吊り元側縦框２２ｂによって形成されている。
【００３３】
縦枠１２の室内側突部１２ｄのうち室外側に面する側と、縦枠１２の内周面１２ｃには
、それぞれ吊り元側縦框２２に対向するように加熱発泡材１２ｆ，１２ｆが配置される。
これらの加熱発泡材１２ｆ，１２ｆは、火災発生時に開口部装置が高温に晒されると発泡
して体積が膨張し、縦枠１２と吊り元側縦框２２の間の隙間を塞いで熱や炎の貫通を防止
する。
【００３４】
戸先側縦枠１３は、アルミ製の金属戸先側縦枠１３ａの室内側露出面を覆うように樹脂
製の樹脂戸先側縦枠１３ｂが一体化されている。金属戸先側縦枠１３ａは、障子２の戸先
側縦辺周面と対向する内周面１３ｃを有している。
【００３５】
戸先側縦枠１３の障子２より室内側部分は、見付方向内側に若干突出し、戸先側縦框２
３の室内側面と対向する部分には、戸先側縦框２３の室内側面に対して当接する気密材１
３ｄが長手方向に沿って設けられている。戸先側縦框２３にはハンドル５が設けられてい
るので、戸先側縦枠１３が戸先側縦框２３の室内側面を隠すような構造とはなっていない
。
【００３６】
戸先側縦框２３は、アルミ製の金属戸先側縦框２３ａの室内側露出部分を樹脂製の樹脂
戸先側縦框２３ｂで被覆して構成されている。戸先側縦框２３には、内周側にパネル体４
の縦辺周縁部を保持するパネル体保持溝２３ｃが形成されている。
【００３７】
戸先側縦框２３の外周面には、戸先側縦枠１３と対向するように加熱発泡材２３ｄが設
けられる。また、戸先側縦枠１３の内周面１３ｃには、戸先側縦框２３と対向するように
加熱発泡材１３ｆ，１３ｆが設けられる。これらの加熱発泡材１３ｆ，２３ｄは、火災発
生時に開口部装置が高温に晒されると発泡して体積が膨張し、戸先側縦枠１３と戸先側縦
框２３の間の隙間を塞いで熱や炎の貫通を防止する。
【００３８】
図４には、図２のうち上枠１０及び上框２０付近の拡大図を示している。上枠１０は、
アルミ製の金属上枠１０ａの室内側露出面を覆うように樹脂製の樹脂上枠１０ｂが一体化
されている。金属上枠１０ａは、障子２の上辺周面と対向する内周面１０ｃを有している
。内周面１０ｃの室内側には、見付方向内側、すなわち下方に向かって突出する室内側突
部１０ｄが形成されている。室内側突部１０ｄは、金属上枠１０ａ及び樹脂上枠１０ｂに
よって形成されている。
【００３９】
室内側突部１０ｄは、障子２を構成する上框２０の室内側面と対向し、先端部には上框
２０の室内側面に対して当接する気密材１０ｅが長手方向に沿って設けられている。室内
側突部１０ｄの見付方向内側端部位置は、上框２０の見付方向内側端部位置と略同位置と
なるように形成されている。これにより、上框２０の室内側面は上枠１０によって隠され
、上框２０が室内側から直接見えないように構成されている。
【００４０】
上框２０は、アルミ製の金属上框２０ａの室内側面を樹脂製の樹脂上框２０ｂが覆って
いる。上框２０の内周側には、パネル体４の上辺周縁部を保持する断面凹状のパネル体保
持溝２０ｃが形成されている。パネル体保持溝２０ｃの外周側には、上枠１０の内周面１
０ｃと対向する外周面部２０ｄを有している。
【００４１】
上枠１０の室内側突部１０ｄのうち室外側に面する側には、加熱発泡材１０ｆが配置さ
れる。また、上框２０の外周面部２０ｄには、加熱発泡材２０ｅが配置されている。火災
発生時に開口部装置が高温に晒されると、これらの加熱発泡材１０ｆ，２０ｅは発泡して
体積が膨張し、上枠１０と上框２０の間の隙間を塞いで熱や炎の貫通を防止する。
【００４２】
図５には、図２のうち下枠１１及び下框２１付近の拡大図を示している。下枠１１は、
アルミ製の金属下枠１１ａの室内側露出面を覆うように樹脂製の樹脂下枠１１ｂが一体化
されている。金属下枠１１ａは、障子２の下辺周面と対向する内周面１１ｃを有している
。内周面１１ｃの室内側には、見付方向内側、すなわち上方に向かって突出する室内側突
部１１ｄが形成されている。室内側突部１１ｄは、金属下枠１１ａ及び樹脂下枠１１ｂに
よって形成されている。室内側突部１１ｄに設けられた樹脂下枠１１ｂの上面は、枠体１
の室内側に設けられる床材と略面一状となる敷居面部１１ｆを構成している。
【００４３】
室内側突部１１ｄは、障子２を構成する下框２１の室内側面と対向し、先端部には下框
２１の室内側面に対して当接する気密材１１ｅが長手方向に沿って設けられている。室内
側突部１１ｄの見付方向内側端部位置は、下框２１の見付方向内側端部位置と略同位置と
なるように形成されている。これにより、下框２１の室内側面は下枠１１によって隠され
、下框２１が室内側から直接見えないように構成されている。
【００４４】
下框２１は、アルミ製の金属下框２１ａの室内側面を樹脂製の樹脂下框２１ｂが覆って
いる。下框２１の内周側には、パネル体４の下辺周縁部を保持する断面凹状のパネル体保
持溝２１ｃが形成されている。パネル体保持溝２１ｃを構成する底壁２１ｄのうち、下枠
１１の内周面１１ｃと対向する側の面には、保持部材２１ｅが係止固定される。
【００４５】
保持部材２１ｅは、下側に向かって突出状の保持片２１ｆ，２１ｆを室内外にそれぞれ
有している。保持片２１ｆ，２１ｆは、それぞれ先端部が互いに向き合う方向に突出する
略Ｌ字状に形成されることで、保持片２１ｆ，２１ｆ間にシート状の加熱発泡材２１ｇを
保持できるようになっている。加熱発泡材２１ｇは、両端部を保持片２１ｆ，２１ｆに保
持されて、下枠１１の内周面１１ｃに対向している。
【００４６】
下枠１１の内周面１１ｃには、スチール製の係合突部材１１ｇが固定されている。図６
には、係合突部材１１ｇの平面図（図６（ａ））及び側面図（図６（ｂ））を示している
。係合突部材１１ｇは、図６（ａ）に示すように短尺状の部材からなり、下枠１１の内周
面１１ｃに対して当接固定される固定面部１１ｈと、固定面部１１ｈから上方に突出する
係合突部１１ｉとを有している。図５に示すように、係合突部材１１ｇは、内周面１１ｃ
から上方に突出する係合突部１１ｉが、下框２１の室内側の保持片２１ｆより室外側に配
置されると共に、下框２１の保持部材２１ｅと対向する。
【００４７】
下枠１１の室内側突部１１ｄのうち室外側に面する側には、加熱発泡材１１ｋが配置さ
れている。この加熱発泡材１１ｋと下框２１の保持部材２１ｅに設けられた加熱発泡材２
１ｇは、火災発生時に開口部装置が高温に晒されると発泡して体積が膨張し、下枠１１と
下框２１の間の隙間を塞いで熱や炎の貫通を防止する。
【００４８】
図７には、下枠１１の平面図を示している。図７では、図中左側が吊り元側で、図中右
側が戸先側となっている。下枠１１の内周面１１ｃには、吊り元側端部近傍に軸部材１５
が固定される。軸部材１５は、障子２を回動自在に保持する軸部１５ａを有している。こ
れにより、框体３は軸部１５ａの位置で枠体１に拘束されることになる。
【００４９】
下枠１１の内周面１１ｃのうち、戸先側縦框２３が配置される側の端部近傍には、前述
の係合突部材１１ｇが固定されている。このように、係合突部材１１ｇは、下枠１１にお
いて框体３の拘束位置である軸部１５ａから遠い位置に配置されている。
【００５０】
火災発生時に開口部装置が高温に晒されると、框体３を構成する各框材には熱伸び及び
屈曲変形が生じる。框材は、枠体１に対する拘束位置では、枠体１との位置関係が維持さ
れるが、拘束位置から離れるほど、変形による反りが生じる。
【００５１】
図１に示されているように、框体３の戸先側縦框２３は、ハンドル５とその上下のロッ
ク部６，６においては枠体１に拘束されており、下框２１は、吊り元側において軸部１５
ａにより枠体１に拘束されている。これらの拘束位置から遠い下框２１の戸先側部分では
、反りが生じやすく、下枠１１の内周面１１ｃに接近すると共に、室外側に開いていくよ
うに移動する。
【００５２】
図８には、火災発生時の状態における下枠１１と下框２１付近の拡大縦断面図を示して
いる。この図に示すように、下枠１１の内周面１１ｃに接近すると共に室外側に移動した
下框２１は、保持部材２１ｅに形成された室内側の保持片２１ｆが、係合突部材１１ｇの
係合突部１１ｉの室内側面に当接し、下框２１の室外側への移動を規制する。すなわち、
下框２１に設けられた室内側の保持片２１ｆが框側突部としての突片となって、それより
室外側に配置された枠側突部としての係合突部１１ｉに対して係合することで、下框２１
の反りを抑制することができる。
【００５３】
また、それと併せて、下框２１の保持部材２１ｅに保持された加熱発泡材２１ｋが発泡
して体積が膨張し、下枠１１の内周面１１ｃとの間の隙間を閉塞する。火災時には、下框
２１は反りによる屈曲変形と熱伸びとを生じつつ、同時に加熱発泡材２１ｋも発泡してい
き、やがて保持片２１ｆと係合突部１１ｉとが係合しあうことによってそれ以上の反りが
抑制されると共に、加熱発泡材２１ｋが下枠１１の内周面１１ｃにまで達する。すなわち
、これらは火災時において同時期にそれぞれ進行して、最終的には図８のような状態とな
る。なお、下枠１１に設けられた加熱発泡材１１ｋも発泡して体積が増加し、下枠１１と
下框２１の間の隙間を閉塞する。
【００５４】
このように、下框２１において枠体１との拘束位置から遠く、反りが生じやすい戸先側
端部付近において、係合突部材１１ｇの係合突部１１ｉに、下框２１に形成される突片で
ある保持片２１ｆを係合させることによって、下框２１の反りを抑制すると共に、加熱発
泡材２１ｋにより下枠１１と下框２１との間の隙間を塞ぐことにより、開口部装置の下辺
において枠体１と障子２の間の隙間発生を防止し、防火性能を高くすることができる。
【００５５】
次に、本発明の第２の実施形態について説明する。図９には、第２の実施形態における
開口部装置の正面図を示している。本実施形態の開口部装置は、建物開口部に設けられる
枠体３０内に障子３１を開閉自在となるように納め、障子３１には上障子６０と下障子６
５とを上下に移動自在とした上げ下げ窓３３を納めて構成された上げ下げ窓内蔵ドアであ
る。障子３１は、図９において左側が吊り元側、右側が戸先側となっていて、吊り元側の
縦辺を中心に戸先側を室外側に向かって開放できるようになっている。
【００５６】
枠体３０は、上下辺を構成する上枠４０及び下枠４１と、左右の縦辺を構成する吊り元
側縦枠４２及び戸先側縦枠４３とを、方形状に枠組みして構成される。障子３１を構成す
る框体３２は、上下辺を構成する上框５０及び下框５１と、左右の縦辺を構成する吊り元
側縦框５２及び戸先側縦框５３とを、方形状に框組みして構成される。
【００５７】
框体３２を構成する戸先側縦框５３には、室内外面にそれぞれ開閉操作のためのハンド
ル３４が設けられている。また、ハンドル３４の上下には、それぞれロック部３５，３５
が設けられている。
【００５８】
図１０には第２の実施形態の開口部装置の縦断面図を、図１１には第２の実施形態の開
口部装置の横断面図を、それぞれ示している。障子３１は、上下の軸部３７により枠体３
０に対し回動自在とされると共に、枠体３０と障子３１とはドアクローザー３６により連
結されている。框体３２内に納められる上障子６０と下障子６５は、それぞれ上框７２と
下框７３及び左右の縦框７４，７４を方形状に框組みしてなる框体７０内に、複層ガラス
板からなるパネル体７１を納めて構成されている。
【００５９】
上障子６０と下障子６５は、閉じた状態において面一状となるように配置されている。
この状態から、下障子６５は下辺側を中心に上辺側を内倒し自在となっており、内倒し状
態となった下障子６５はさらに上方にスライド自在とされている。さらに、下障子６５の
スライドに連動して、上障子６０が下方にスライドし、上げ下げ窓が開いた状態となる。
【００６０】
下障子６５の上框７２には、該上框７２から上障子６０の下框７１に渡って伸びる樹脂
製の引き手部７２ａが設けられている。引き手部７２ａは、下障子６５を室内側に倒す動
作及び上下方向にスライドさせる動作を、手で持って行うために設けられる。
【００６１】
上障子６０と下障子６５は、いずれも障子３１の框体３２を構成する吊り元側縦框５２
及び戸先側縦框５３の内周面に側部が案内されることで、開閉することができる。図１２
には、戸先側縦框５３の内周側から見た側面図を示している。戸先側縦框５３の内周面５
３ａには、下端部に下障子６５を案内する樹脂製のガイド部品８０が設けられる。
【００６２】
ガイド部品８０は、下障子６５の下端側部に設けられる案内凸部を案内する斜め案内溝
８０ａを有している。斜め案内溝８０ａは、内倒し状となった下障子６５を、見込方向に
おいて上障子６０と同じ位置から、上障子６０の室内側の位置まで案内するように、傾斜
状に形成されている。戸先側縦框５３の内周面５３ａには、長手方向に沿って凹状の縦案
内溝５３ｂが形成されており、ガイド部品８０の斜め案内溝８０ａは、戸先側縦框５３の
縦案内溝５３ｂと端部が連続状となっている。斜め案内溝８０ａによって室内側に案内さ
れた下障子６５の案内凸部は、縦案内溝５３ｂによって上下方向にさらに案内される。
【００６３】
戸先側縦框５３の内周面５３ａには、さらに滑車部材８１が設けられている。滑車部材
８１は、滑車部８１ａによって下障子連結部８１ｂと上障子連結部８１ｃとを支持してな
り、下障子連結部８１ｂには下障子６５が、上障子連結部８１ｃには上障子６０が、それ
ぞれ連結されて、下障子６５の上下動に連動して上障子６０も上下動するように構成され
ている。ここでは戸先側縦框５３について説明したが、吊り元側縦框５２にも同様にガイ
ド部品８０や滑車部材８１が設けられて、上障子６０と下障子６５の側部を案内する。
【００６４】
図１３には、図１０のうち上枠４０と上框５０付近の拡大図を示している。上枠４０は
、アルミ製の金属上枠４０ａの室内側露出部分を覆うように樹脂製の樹脂上枠４０ｂが一
体化されている。金属上枠４０ａは、障子３１の上辺周面と対向する内周面４０ｃを有し
ている。内周面４０ｃの室内側には、見付方向内側、すなわち下方に向かって突出する室
内側突部４０ｄが形成されている。室内側突部４０ｄは、金属上枠４０ａ及び樹脂上枠４
０ｂによって形成されている。室内側突部４０ｄは、障子３１を構成する上框５０の室内
側面と対向し、先端部には上框５０の室内側面に対して当接する気密材４０ｅが長手方向
に沿って設けられている。
【００６５】
上框５０は、アルミ製の金属上框５０ａの室内側面を樹脂製の樹脂上框５０ｂが覆って
いる。上框５０は、外周側に上枠４０の内周面４０ｃと対向する外周面部５０ｄを有して
いる。
【００６６】
上枠４０の室内側突部４０ｄのうち室外側に面する側には、加熱発泡材４０ｆが配置さ
れる。また、上框５０の外周面部５０ｄには、加熱発泡材５０ｇが配置され、この加熱発
泡材５０ｇの室内外端をそれぞれ保持する保持部５０ｅが形成されている。保持部５０ｅ
のうち加熱発泡材５０ｇの室内端を保持する部分は、断面略Ｌ字状に突出した突片５０ｆ
となっている。火災発生時に開口部装置が高温に晒されると、これらの加熱発泡材５０ｆ
，５０ｅは発泡して体積が膨張し、上枠４０と上框５０の間の隙間を塞いで熱や炎の貫通
を防止する。
【００６７】
上枠４０の内周面４０ｃには、スチール製の係合突部材４０ｇが固定されている。係合
突部材４０ｇは、第１の実施形態と同様、短尺状の部材からなり、上枠４０の内周面４０
ｃに対して当接固定される固定面部４０ｈと、固定面部４０ｈから下方に突出する係合突
部４０ｉとを有している。係合突部材４０ｇの係合突部４０ｉは、上框５０の突片５０ｆ
よりも室外側に配置されると共に、上框５０の外周面部５０ｄと対向する。
【００６８】
図１４には、図１０のうち下枠４１と下框５１付近の拡大図を示している。下枠４１は
、アルミ製の金属下枠４１ａの室内側露出面を覆うように樹脂製の樹脂下枠４１ｂが一体
化されている。金属下枠４１ａは、障子３１の下辺周面と対向する内周面４１ｃを有して
いる。内周面４１ｃの室内側には、見付方向内側、すなわち上方に向かって突出する室内
側突部４１ｄが形成されている。室内側突部４１ｄは、金属下枠４１ａ及び樹脂下枠４１
ｂによって形成されている。
【００６９】
室内側突部４１ｄに設けられた樹脂下枠４１ｂの上面は、枠体３０の室内側に設けられ
る床材と略面一状となる敷居面部４１ｆを構成している。室内側突部４１ｄは、障子３１
を構成する下框５１の室内側面と対向し、先端部には下框５１の室内側面に対して当接す
る気密材４１ｅが長手方向に沿って設けられている。
【００７０】
下框５１は、アルミ製の金属下框５１ａの室内側面を樹脂製の樹脂下框５１ｂが覆って
いる。下框５１は、外周側に下枠４１の内周面４１ｃと対向する外周面部５１ｄを有して
いる。
【００７１】
下枠４１の室内側突部４１ｄのうち室外側に面する側には、加熱発泡材４１ｋが配置さ
れている。また、外周面部５１ｄには、加熱発泡材５１ｇが配置されると共に、この加熱
発泡材５１ｇの室内外端をそれぞれ保持する保持部５１ｄが形成されている。保持部５１
ｆのうち加熱発泡材５１ｇの室内端を保持する部分は、断面略Ｌ字状に突出した突片５１
ｅとなっている。火災発生時に開口部装置が高温に晒されると、これらの加熱発泡材４１
ｋ，５１ｇは発泡して体積が膨張し、下枠４１と下框５１の間の隙間を塞いで熱や炎の貫
通を防止する。
【００７２】
下枠４１の内周面４１ｃには、スチール製の係合突部材４１ｇが固定されている。係合
突部材４１ｇは、第１の実施形態と同様、短尺状の部材からなり、下枠４１の内周面４１
ｃに対して当接固定される固定面部４１ｈと、固定面部４１ｈから下方に突出する係合突
部４１ｉとを有している。係合突部材４１ｇの係合突部４１ｉは、下框５１の突片５１ｅ
よりも室外側に配置されると共に、下框５１の外周面部５１ｄと対向する。
【００７３】
図９に示されているように、框体３２の上框５０と下框５１は、それぞれ吊り元側にお
いて軸部３７により枠体３０に拘束されている。これらの拘束位置から遠い上框５０と下
框５１の戸先側部分では、反りが生じやすく、下枠４１の内周面４１ｃに接近すると共に
、室外側に開いていくように移動する。
【００７４】
図１５には、火災発生時の状態における上枠４０と上框５０付近の拡大縦断面図を示し
ている。この図に示すように、上枠４０の内周面４０ｃに接近すると共に室外側に移動し
た上框５０は、外周面部５０ｄに形成された突片５０ｆが、係合突部材４０ｇの係合突部
４０ｉの室内側面に当接し、上框５０の室外側への移動を規制する。すなわち、上框５０
に設けられた上框側突部としての突片５０ｆが、それより室外側に配置された上枠側突部
としての係合突部４０ｉに対して係合することで、上框５０の反りを抑制することができ
る。
【００７５】
また、それと併せて、上框５０に保持された加熱発泡材５０ｇが発泡して体積が膨張し
、上枠４０の内周面４０ｃとの間の隙間を閉塞する。なお、上枠４０に配置された加熱発
泡材４０ｆも発泡して体積が増加し、上枠４０と上框５０の間の隙間を閉塞する。
【００７６】
このように、上框５０において枠体３０との拘束位置から遠く、反りが生じやすい戸先
側端部付近において、上枠４０の係合突部４０ｉに上框５０の突片５０ｆを係合させるこ
とによって、上框５０の反りを抑制すると共に、加熱発泡材５０ｇにより上枠４０と上框
５０との間の隙間を塞ぐことにより、開口部装置の上辺において枠体３０と障子３１の間
の隙間発生を防止し、防火性能を高くすることができる。
【００７７】
図１６には、火災発生時の状態における下枠４１と下框５１付近の拡大縦断面図を示し
ている。この図に示すように、下枠４１の内周面４１ｃに接近すると共に室外側に移動し
た下框５１は、外周面部５１ｄに形成された突片５１ｅが、係合突部材４１ｇの係合突部
４１ｉの室内側面に当接し、下框５１の室外側への移動を規制する。すなわち、下框５１
に設けられた框側突部としての突片５１ｅが、それよりも室外側に配置された枠側突部と
しての係合突部４１ｉに対して係合することで、下框５１の反りを抑制することができる
。
【００７８】
また、それと併せて、下框５１に保持された加熱発泡材５１ｇが発泡して体積が膨張し
、下枠４１の内周面４１ｃとの間の隙間を閉塞する。火災時には、下框５１は反りによる
屈曲変形と熱伸びとを生じつつ、同時に加熱発泡材５１ｇも発泡していき、やがて保持片
突片５１ｅと係合突部４１ｉとが係合しあうことによってそれ以上の反りが抑制されると
共に、加熱発泡材５１ｇが下枠４１の内周面４１ｃにまで達する。すなわち、これらは火
災時において同時期にそれぞれ進行して、最終的には図１６のような状態となる。なお、
下枠４１に配置された加熱発泡材４１ｋも発泡して体積が膨張し、下枠４１と下框５１の
間の隙間を閉塞する。
【００７９】
このように、下框５１において枠体３０との拘束位置から遠く、反りが生じやすい戸先
側端部付近において、下枠４１の係合突部材４１ｇに下框５１の突片５１ｅを係合させる
ことによって、下框５１の反りを抑制すると共に、加熱発泡材５１ｇにより下枠４１と下
框５１との間の隙間を塞ぐことにより、開口部装置の下辺において枠体３０と障子３１の
間の隙間発生を防止し、防火性能を高くすることができる。
【００８０】
以上のように、第２の実施形態においては、障子３１の上辺と下辺でそれぞれ框材の反
りを抑制するため、係合突部と突片とを係合させるようにしている。開口部装置の中でも
ドアにおいては、ロック部３５によるロックがされていない状態で火災が発生した場合も
想定する必要があり、この場合、戸先側縦框５３についてはハンドル３４の位置でのみ枠
体３０に拘束されることになり、上框５０と下框５１の両方において戸先側先端部での反
りが発生しやすいため、両方に係合の構造を設けている。
【００８１】
以上、本発明の実施形態について説明したが、本発明の適用はこれらの実施形態には限
られず、その技術的思想の範囲内において様々に適用されうるものである。第１及び第１
の実施形態の開口部装置では、障子が上下のピボットにより枠体に対し回動自在に支持さ
れているが、障子の吊り元側に蝶番を設けて枠体に対し回動自在となるようにしてもよい
。
【００８２】
また、第１及び第２の実施形態では、框体側に突片を設け、枠体側に係合突部を有した
係合突部材を固定するようにしたが、逆に框体側に係合突部を有した係合突部材を固定し
、枠体側に突片を設ける構成でもよい。いずれにしても、枠体側に設けられる枠側突部ま
たは上枠側突部を、框体側に設けられる框側突部または上框側突部よりも室外側に配置す
ることで、火災時に框材が室外側に反った場合に、両者が係合しあって反りを抑制するこ
とができる。
【符号の説明】
【００８３】
１    枠体
２    障子
３    框体
４    パネル体
５    ハンドル
６    ロック部
１０    上枠
１１    下枠
１１ｃ  内周面
１１ｇ  係合突部材
１１ｈ  固定面部
１１ｉ  突部
１１ｋ  加熱発泡材
１２    吊り元側縦枠
１３    戸先側縦枠
２０    上框
２１    下框
２１ｆ  保持片
２１ｇ  加熱発泡材
２２    吊り元側縦框
２３    戸先側縦框
３０    枠体
３１    障子
３２    框体
３３    上げ下げ窓
３４    ハンドル
３５    ロック部
３７    軸部
４０    上枠
４０ｃ  内周面
４０ｆ  加熱発泡材
４０ｇ  係合突部材
４０ｈ  固定面部
４０ｉ  突部
４１    下枠
４１ｃ  内周面
４１ｇ  係合突部材
４１ｈ  固定面部
４１ｉ  突部
４１ｋ  加熱発泡材
４２    吊り元側縦枠
４３    戸先側縦枠
５０    上框
５０ｅ  保持部
５０ｆ  突片
５０ｇ  加熱発泡材
５１    下框
５１ｄ  保持部
５１ｅ  突片
５１ｇ  加熱発泡材
５２    吊り元側縦框
５３    戸先側縦框
６０    上障子
６５    下障子
【図１】
2014118714.tif 000003
【図２】
2014118714.tif 000004
【図３】
2014118714.tif 000005
【図４】
2014118714.tif 000006
【図５】
2014118714.tif 000007
【図６】
2014118714.tif 000008
【図７】
2014118714.tif 000009
【図８】
2014118714.tif 000010
【図９】
2014118714.tif 000011
【図１０】
2014118714.tif 000012
【図１１】
2014118714.tif 000013
【図１２】
2014118714.tif 000014
【図１３】
2014118714.tif 000015
【図１４】
2014118714.tif 000016
【図１５】
2014118714.tif 000017
【図１６】
2014118714.tif 000018